(57)【要約】【課題】脚立の正しい使用方法を脚立使用者に喚起できる技術を提供すること。【解決手段】脚立の使用方法注意喚起カバー１は、脚立３の天板に用いられる。注意喚起カバー１は、天板３３ａを被覆するカバー部１１と、カバー部１１を天板３３ａに固定するカバー外れ防止部１３とを有する。そして、カバー部１１は、その色が脚立使用者に注目されるように注意色が施されている。またカバー部１１には、使用者が天板３３ａに載ることを禁止する注意書きや使用上の注意を喚起するマークが記載されている。【選択図】図１
0003137792.tif 000002
【実用新案登録請求の範囲】
【請求項１】
高所での作業を行うための作業台である脚立に設けられている踏み台の最上位に位置する天板を被覆するため、
前記天板に当接するカバー主面部と、
このカバー主面部の両側縁に設けられ、前記天板を被覆したときに前記天板よりも下方に垂れ下がるカバー副面部と、を含み、
前記カバー主面部及び前記カバー副面部の一方又は双方に、脚立の使用者が前記天板に載ることを禁止することを示唆する文字、記号、図形のうちの少なくとも一つが付されていることを特徴とする脚立の使用方法注意喚起カバー。
【請求項２】
前記カバー主面部の両側縁に設けられている前記カバー副面部に対し、前記カバー主面部の両側端には、透明材からなる透明側部が設けられていることを特徴とする請求項１に記載の脚立の使用方法注意喚起カバー。
【請求項３】
前記カバーを天板に固定するカバー外れ防止部を有し、
このカバー外れ防止部は、前記カバー副面部の一方に取り付けられた連結帯と、
前記カバー副面部の他方に取り付けられ、前記連結帯と結合する結合体と、を含むことを特徴とする請求項１又は２に記載の脚立の使用方法注意喚起カバー。
【請求項４】
請求項１〜３のいずれかに記載の脚立の使用方法注意喚起カバーが天板に被覆されていることを特徴とする脚立。
【考案の詳細な説明】
【技術分野】
【０００１】
本考案は脚立の使用方法注意喚起カバーに関する。
【背景技術】
【０００２】
従来より、脚立は、エアコンの取り付け、塗装作業、ふとん干し、窓ガラスの拭き、クロス貼りなど、高所における作業を行ったり、商品・荷物・品物等の上げ下ろし作業を行ったりするにあたり、その利便性ゆえ広く利用されている。
【０００３】
しかし、その一方で脚立からの転落事故も少なくない。転落事故の多くは、脚立の使用者（以下、脚立使用者という）が作業中に身を乗り出したはずみでバランスを崩して起きている。そして、そのほとんどが、天板に使用者が載ってしまうという誤った使い方が原因とみられている。
【０００４】
脚立の誤った使い方を防止するため、脚立の使用説明書には脚立の誤った使用方法を禁止する旨の注意書きが記載されているが、使用説明書を読まずに脚立が使用されてしまうことが少なくないと考えられる。
【考案の開示】
【考案が解決しようとする課題】
【０００５】
そこで、脚立の目の付くところに使用説明書を透明なシートなどに入れてぶら下げるなどして、脚立使用者が使用説明書に目を通す機会を増やすなどの対策が取られている。しかし、既述のように、脚立はその使用方法が複雑ではないので、実際のところ、使用説明書を読む者はほとんどいないのが現状である。
【０００６】
本考案は上記事情に鑑みて考案されたものであって、その解決しようとする課題は、脚立の正しい使用方法を脚立使用者に喚起できる技術を提供することにある。
【課題を解決するための手段】
【０００７】
本考案は、上記課題を解決するために以下の手段を採用した。
（１）本考案の脚立の使用方法注意喚起カバーは、高所での作業を行うための作業台である脚立に設けられている踏み台の最上位に位置する天板を被覆するものである。そして天板を被覆するために前記天板に当接するカバー主面部と、このカバー主面部の両側縁に設けられ、前記天板を被覆したときに前記天板よりも下方に垂れ下がるカバー副面部とを含む。
【０００８】
そして、前記カバー主面部及び前記カバー副面部の一方又は双方に、脚立の使用者が前記天板に載ることを禁止することを示唆する文字、記号、図形のうちの少なくとも一つを付すようにした。
【０００９】
本考案によれば、カバー主面部及び前記カバー副面部の一方又は双方に、脚立使用者が天板に載ることを禁止することを示唆する文字、記号、図形のうちの少なくとも一つが付されているので、天板に載ることが不適切であることが一見して伝わる。このため、当該文字、記号、図形の存在を無視してそれらを踏みつけて使用者が天板に載ることは、心理的な負担となる。
【００１０】
また、脚立使用者は、脚立に設けられている踏み台を上って脚立における所望高さにまで至ると、天板よりも下方にすだれ状に垂れ下がっているカバー副面部に記載の前記文字
、記号、図形に目が留まり、そこで用心の気持ちが最初に高まる。
【００１１】
そして、さらに踏み台を上って行くと、今度は天板に当接するカバー主面部の前記文字、記号、図形に目が留まるので、使用者は、前記文字、記号、図形を重ねて認識し、用心の気持ちが一層高められる。
【００１２】
万一、カバー副面部の注意書きやマークを見損ねても、天板に当接するカバー主面部にもそれらが記載されているので、最終的には使用者に天板に載ることが危険であるということを確実に意識させることができる。
【００１３】
（２）カバー主面部の両側縁に設けられている前記カバー副面部に対し、前記カバー主面部の両側端には、透明材からなる透明側部を設けることもできる。透明材としては透明なポリエステルを例示できる。
透明側部を設けるようにしたのは、次の理由による。
【００１４】
脚立は、一般に二本の細長い支材に複数の横板を段状に取り付けて梯子状にしたものを両方から二つ折りに曲折し、曲折された部分の上にも横板を設けてこれを天板とし、当該天板に対して脚立の使用者が昇降できるように前記複数の横板を踏み台にしたものである。
【００１５】
また、前記二本の細長い支材を折り畳んだ後、折り畳み状態を維持できるように留め具を用いる。
【００１６】
そして留め具は、通常、天板の下方や側部に設けられている。このため、天板をカバーで覆ってしまうと留め具が見えなくなる虞がある。
【００１７】
そこで、留め具がカバーで覆われてしまっても、留め具が機能していることを使用者が一見して判断出来るように透明側部を用いるようにした。
【００１８】
透明側部は無くともよいが、あれば、留め具が風雨に曝されるのを防止できる。この結果、留め具が金属製であった場合、錆に起因する留め具の劣化を抑制できる。
【００１９】
（３）前記カバーを天板に固定するカバー外れ防止部を有し、このカバー外れ防止部は、前記カバー副面部の一方に取り付けられた連結帯と、前記カバー副面部の他方に取り付けられ、前記連結帯と結合する結合体とを含むものが好ましい。
【００２０】
天板にカバーをすると、カバー主面部が天板に当接し、カバー副面部が天板よりも下方にすだれ状に垂れ下がって天板をすっぽりと覆う。これだけでもカバーが脚立から取れてしまうことは少ない。しかし、確実性を期すために、連結帯と結合体とを結合すると、天板はカバー主面部の両側縁に設けられているカバー副面部によって、天板をその両側から挟むようになる。したがって、カバー部の天板からの抜けを有効に抑制できる。
【００２１】
（４）また、本発明は、上記した脚立の使用方法注意喚起カバーが天板に被覆されていることを特徴とする脚立でもある。
【考案の効果】
【００２２】
本考案によれば、カバー主面部に記載されている天板に載ることを禁止することを示唆する文字、記号、図形の存在を無視して使用者が天板に載ることは、それらを踏みつけることである。それ故、心理的に負担となるため、天板に載ることを効果的に抑制することができる。
【考案を実施するための最良の形態】
【００２３】
以下、この考案を実施するための最良の形態（以下、実施形態）を実施例に基づいて例示的に説明する。但し、この実施例に記載されている構成部品の寸法、材質、形状その相対配置などは、特に特定的に記載がない限りは、この考案の範囲をそれらに限定する趣旨ではない。
【００２４】
図１〜５に示すように、本考案の脚立の使用方法注意喚起カバー（以下、注意喚起カバー）１は、高所での作業を行うための作業台である脚立３の天板３３ａを被覆するカバーである。
【００２５】
脚立３は、周知のごとく、二本の平行な細長い手すり３２に複数の踏み台３３が段状に支持されて梯子状にされたものを、天板３３ａの中央に設けられた枢軸部３４を介して、所定の角度をもって二つ折りにされる。なお、この実施形態では、天板３３ａは、中央で二分割にされ（図１，３参照）、蝶番を介して連結され、この蝶番を枢軸部３４としている。
【００２６】
二本の平行な細長い手すり３２が二つ折りにされることで、前記複数ある踏み台３３のうち、手すり３２における中央の踏み台が前記天板３３ａとして脚立３の頂部となる。天板３３ａに対し、それよりも下方に設けられた踏み台３３を利用して、脚立使用者は、脚立３を昇降する。
【００２７】
また、二つ折りの状態で手すり３２が大きく開いてしまうのを防止するための留め具３５が、手すり３２のうち天板３３ａの下方近傍に設けられている。
【００２８】
この留め具３５を解いて手すり３２の折り畳み状態を解放すれば、二本の手すり３２は、枢軸部３４を介して展開可能となり、脚立３を梯子として使用することができる。なお、その場合に留め具３５が、手すり３２の開いた（延びた）状態を維持できる機構となっていると一層好ましい。
【００２９】
注意喚起カバー１は、脚立使用者に注意喚起カバー１の存在をアッピールするため、注意色にされている。注意色とは、例えば、危険性を感じさせる赤や注意を喚起する黄色を挙げられる。
【００３０】
注意喚起カバー１は、実際に天板３３ａの全体を被覆するカバー部１１と、このカバー部１１を天板３３ａに固定するカバー外れ防止部１３とからなる（図１〜３参照）。
【００３１】
カバー部１１は、その全体形状が展開した状態で長方形状をしている（図４参照）。またカバー部１１の中央部には、注意喚起カバー１で天板３３ａを被覆したときに実際に天板３３ａに当接し、天板３３ａを覆うカバー主面部１１１が形成されている。
【００３２】
カバー主面部１１１の両側縁には、カバー部１１で天板３３ａを被覆したときに、前記天板３３ａよりも下方にすだれ状に垂れ下がるカバー副面部１１３が設けられている。
【００３３】
さらに、カバー主面部１１１の両端には、カバー部１１で天板３３ａを被覆してもカバー部１１の内部が透けて見えるように、透明側部１１５が設けられている。
【００３４】
カバー主面部１１１も、カバー副面部１１３も、透明側部１１５もいずれも長方形状をしている。
【００３５】
カバー副面部１１３は、カバー主面部１１１とほぼ同じ大きさとされている。そして透明側部１１５は、カバー主面部１１１の幅寸法と同じ幅寸法とされ、かつカバー副面部１１３の幅寸法と同じ長さとされている。
【００３６】
カバー主面部１１１及びカバー副面部１１３は、色合いの濃いターボリン黄色をしたポリエステルなどの生地でできている。また、透明側部１１５は透明なポリエステルでできている。
【００３７】
カバー主面部１１１及びカバー副面部１１３は一体に形成されているが、透明側部１１５は、カバー主面部１１１の端部に熱溶着又は接着材によって固着されている。
【００３８】
なお、カバー主面部１１１及びカバー副面部１１３の境界部分がわかるように、図４に両者の境界線を破線で示す。しかし、両者は一体であり、実際には境界はなく、カバー部１１で天板３３ａを被覆したときに、天板３３ａに当接する部分をカバー主面部１１１といい、天板３３ａよりも下方にすだれ状に垂れ下がる部分をカバー副面部１１３という。
【００３９】
そして、カバー主面部１１１及びカバー副面部１１３には、脚立使用者が天板３３ａに載ることを禁止する注意書きや使用上の注意を喚起するマーク（図形、記号）が記載されている。
【００４０】
注意書きとして、例えば、カバー主面部１１１には、図４に示すように、『天板３３ａに乗って作業しない！』という文字が大きく横書きで書いてあり、一対のカバー副面部１１３には、その長手方向に『私は脚立３を適正に使用します』という文字が、カバー主面部１１１に記載の文字よりも小さな文字で、やはり横書きに書いてある。
【００４１】
マークとしては、例えば交通標識の進入禁止のマークを挙げられる（図示せず）。
【００４２】
また、カバー副面部１１３の一方には、名刺大の透明ポケット１１３ａが設けられている。この透明ポケット１１３ａに、例えば脚立３の管理責任者の名前や電話番号などが記載された紙面（名刺など）が入れられる。
【００４３】
次に、カバー部１１を天板３３ａに固定するカバー外れ防止部１３について述べる。
カバー外れ防止部１３は、一方のカバー副面部１１３の一縁に逢着されたひも状の連結帯１３１と、他方のカバー副面部１１３の裏面に逢着され、連結帯１３１と結合される結合体１３３とを含む。
【００４４】
連結帯１３１の先端及び結合体１３３には、織製の面ファスナー｛いわゆるマジックテープ（登録商標）｝１３５が取り付けられている。面ファスナー１３５により、連結帯１３１と結合体１３３とが簡単に着脱できる。そして、連結帯１３１と結合体１３３とを結合すると、カバー主面部１１１の両側縁に設けられているカバー副面部１１３によって、天板３３ａを両側から挟めるように連結帯１３１はその長さが定められている。
【００４５】
このような構成の注意喚起カバー１を脚立３に取り付けるための手順について、図５を参照して説明する。なお、注意喚起カバー１の脚立３への取付は、脚立使用者や脚立の管理責任者が行う。
【００４６】
手順１：脚立３の天板３３ａの上面に、展開状態の注意喚起カバー１をそのカバー主面部１１１が天板３３ａに当接するように宛がう。
【００４７】
手順２：連結帯１３１の先端を持ち、天板３３ａの下方から結合体１３３に近づけ、連
結帯１３１の面ファスナー１３５を結合体１３３の面ファスナー１３５に結合する。なお、透明側部１１５は垂下させる。
【００４８】
手順３：注意喚起カバー１のカバー主面部１１１，カバー副面部１１３及び透明側部１１５の曲がりや撓みを修正し、注意喚起カバー１の全体の形を整えて、注意喚起カバー１の脚立３への取り付けを完成する。
【００４９】
次に、このような構成の注意喚起カバー１の作用効果について説明する。
【００５０】
本考案の注意喚起カバー１によれば、カバー部１１のターボリン黄色に気づいただけで、使用者は脚立３に注目する。その結果、注意喚起カバー１が何であるか興味を抱く。
【００５１】
脚立使用者が、踏み台３３を登って天板近くの高さにまで至ると、天板３３ａよりも下方に垂れ下がっているカバー副面部１１３に記載された、『私は脚立３を適正に使用します』という注意書きや進入禁止のマークに自然と目が留まる。その結果、脚立３を使用する際に、天板３３に載ることが不適切であったことを思い出す。
【００５２】
脚立使用者がさらに踏み台３３を上って行き、天板３３ａに当接するカバー主面部１１１の『天板３３ａに乗って作業しない！』という注意書きに目が留まると、使用者は、脚立の適正な使用方法を重ねて認識する。この結果、脚立使用者は、一層用心の気持ちが高まる。
【００５３】
なお、カバー副面部１１３に記載されているそれらの注意書きやマークを脚立使用者が万一見損ねても、天板３３ａを覆っているカバー主面部１１１に至れば、カバー主面部１１１に記載されている『天板３３ａに乗って作業しない！』という注意書きは、当然、使用者の目に付く。このため、脚立３を使用するにあたっての注意を脚立使用者に喚起する。
【００５４】
また、脚立使用時において、留め具３５は、天板３３ａの下方近傍に設けられているため、注意喚起カバー１で天板３３ａを覆ってしまうと、留め具３５が見えなって、留め具３５が機能しているか否かを判断できなくなってしまう虞がある。
【００５５】
しかし、本実施形態に係る注意喚起カバー１は、カバー主面部１１１の両端に透明側部１１５を有しており、透明側部１１５を介して留め具３５を見ることができるため、この点、何ら問題ない（図１，３，５参照）。
【００５６】
透明側部１１５は無くともよい。しかし、あれば、留め具３５が風雨に曝されるのを防ぐことができる。それ故、留め具３５が金属製であった場合には、錆の発生に起因する留め具３５の劣化を抑制できる。
【００５７】
また連結帯１３１及び結合体１３３には、それぞれ面ファスナー１３５が取り付けられているので、両者の面ファスナー１３５を貼り合わせるだけで、両者を簡単に着脱できる。したがって、注意喚起カバー１を脚立３に取り付けることは簡単であり、注意喚起カバー１を脚立３に取り付けることが本来の作業の妨げになることはない。
【００５８】
さらに、天板３３ａにカバーをすると、カバー主面部１１１が天板３３ａに当接し、カバー副面部１１３が天板３３ａよりも下方にすだれ状に垂れ下がり、天板３３ａをすっぽりと覆う。これだけでもカバー部１１が脚立３から取れてしまうことは少ないが、確実性を期するために、連結帯１３１と結合体１３３とを結合すると、カバー主面部１１１の両側縁に設けられているカバー副面部１１３によって、天板３３ａは、その両側から挟まれ
るようになる。このため、カバー部の天板からの抜けを一層防止できる。
【００５９】
そして、注意喚起カバー１には、管理責任者の名前や連絡先などが記載された紙面が入れられる透明ポケット１１３ａを有するので、管理責任者の義務感が高められる。したがって、管理責任者により脚立使用者へ脚立を使用する時の注意がなされることを期待でき、脚立が一層安全に使用されるようになる。
【００６０】
なお、本考案は上述の図示例にのみ限定されるものではなく、本考案の要旨を逸脱しない範囲内において種種変更を加え得ることは勿論である。
【００６１】
例えば、前記透明ポケット１１３ａに管理責任者の名前や連絡先以外に使用目的、使用場所、使用期間、使用会社等を記入するようにしてもよい。
【図面の簡単な説明】
【００６２】
【図１】本考案に係る注意喚起カバーの使用状態を示す斜視図である。
【図２】図１の正面図である。
【図３】図１の側面図である。
【図４】本考案に係る注意喚起カバーの展開図である。
【図５】取付手順を示す斜視図であり、（ａ）は手順１を（ｂ）は手順２を（ｃ）は手順３を説明するための図である。
【符号の説明】
【００６３】
１  注意喚起カバー
１１  カバー部
１１１  カバー主面部
１１３  カバー副面部
１１３ａ  透明ポケット
１１５  透明側部
１３  カバー外れ防止部
１３１  連結帯
１３３  結合体
１３５  面ファスナー
３  脚立
３２  手すり
３３  踏み台
３３ａ  天板
３４  枢軸部
３５  留め具
【図１】
0003137792.tif 000003
【図２】
0003137792.tif 000004
【図３】
0003137792.tif 000005
【図４】
0003137792.tif 000006
【図５】
0003137792.tif 000007